(57)【要約】【課題】回転軸の振動を防止するように取付位置を調整してバランスウエイトを簡単に取り付ける。【解決手段】少なくともフレームに対して水平軸回りに回転自在に軸支された回転軸３と、回転軸３に回転自在に軸支された回転刃４を備えた農作業機において、回転軸３の回転パイプ３１における外周面の左右各端部に、周方向に間隔をおいて複数個の調整穴３３ａが形成されたリング板３３がそれぞれ固定され、各リング板３３に、フレームの側板の内面に当接する近傍位置まで突出するバランスウエイト３４が調整穴３３ａを通してボルト３５により周方向に調整自在に固定されている。【選択図】  図５
2007282573.tif 000002
【特許請求の範囲】
【請求項１】
左右の側板および左右の側板に一体に固定されたカバーからなるフレームと、回転パイプおよび回転パイプの左右端部に一体に固定された回転シャフトからなり、回転シャフトが左右各側板にそれぞれ軸受を介して水平軸回りに回転自在に軸支された回転軸と、回転パイプの外周面に軸心方向および周方向にそれぞれ間隔をおいて固定された複数個の取付ブラケットおよび各取付ブラケットに回転自在に軸支された複数個の刃体からなる回転刃と、左右の側板にわたって支持された入力手段と、入力手段に入力された動力を回転シャフトに伝達する動力伝達手段と、を備えた農作業機において、前記回転パイプにおける外周面の左右各端部に、周方向に間隔をおいて複数個の調整穴または周方向に長穴が形成されたリング板がそれぞれ固定され、各リング板に、各側板の内面に当接する近傍位置まで突出するバランスウエイトが調整穴または長穴を通してボルトにより周方向に調整自在に固定されることを特徴とする農作業機。
【請求項２】
前記左右各側板の内面に、回転シャフトに装着されるとともに、周方向に間隔をおいて複数個の締結ナットが固定された円板部および円板部の外周縁から回転パイプの端縁部の外周面上まで延出されたフランジ部からなるダストカバーがそれぞれ配置され、回転シャフトに装着された各ダストカバーが、左右各側板の外面にそれぞれ配置される軸受とともにボルトおよび締結ナットを介して左右各側板に固定され、その際、ダストカバーのフランジ部が回転パイプの左右各端縁と左右各側板の内面との隙間を覆うことを特徴とする請求項１記載の農作業機。
【請求項３】
前記ダストカバーの円板部に複数個の係合部が設けられるとともに、左右各側板に、ダストカバーの各係合部に対応する複数個の被係合部が設けられることを特徴とする請求項２記載の農作業機。
【請求項４】
前記左右各側板に、回転シャフトの外径よりも広幅の切欠部がその下端縁から回転シャフトの挿入穴に向かって形成されていることを特徴とする請求項１または２記載の農作業機。
【発明の詳細な説明】
【技術分野】
【０００１】
この発明は、回転刃を設けた回転軸を回転駆動させて草刈りや耕耘などの作業を行う農作業機に関するものである。
【背景技術】
【０００２】
従来より、フレールモア（草刈り機）、ロータリー（耕耘機）、ハロー（砕土機）などの農作業機が知られている。この農作業機は、トラクタなどの走行車に牽引されて地表面上を移動する際、走行車のエンジンなどの動力源からの動力が伝達されて回転軸が回転し、回転軸とともに回転する回転刃によって雑草を刈り取ったり、土を耕したり、砕くものである。
【０００３】
このような農作業機において、フレームに対して回転する回転軸の外周面には、軸心方向および周方向にそれぞれ間隔をおいて複数個の取付ブラケットが溶接されるとともに、各取付ブラケットに回転刃がそれぞれ回転自在に設けられている（例えば、特許文献１参照）。
【特許文献１】特開２０００−２９５９１５号公報
【発明の開示】
【発明が解決しようとする課題】
【０００４】
ところで、回転軸が回転して回転軸に設けられた回転刃が連動して回転するとき、回転軸の外周面に設けられた取付ブラケットおよび回転刃による重量バランスの不均衡などにより、回転軸が振動することがある。回転軸が振動すると、耐久性が低下するとともに、予期しない事態を招来するおそれがある。このため、回転軸の振動を防止するバランスウエイトを設けることが行われている。すなわち、組み立てられた農作業機ごとに回転軸の重量バランスが相違することから、１台ずつ重量バランスを確認し、その農作業機特有の位置に溶接などによりバランスウエイトを取り付けなければならず、作業が煩雑になるという欠点があった。
【０００５】
なお、回転刃を重量バランスを考慮して配列し、バランスウエイトの取付を省略したものも提案されているが、設計上はともかく、取付ブラケットの取付誤差や溶接長の大小など、回転軸の重量バランスを崩す要因は多く、バランスウエイトを取り付けることなく回転軸の振動を防止することはきわめて困難である。
【０００６】
本発明は、このような問題点に鑑みてなされたもので、回転軸の振動を防止するように取付位置を調整してバランスウエイトを簡単に取り付けることができる農作業機を提供するものである。
【課題を解決するための手段】
【０００７】
本発明は、左右の側板および左右の側板に一体に固定されたカバーからなるフレームと、回転パイプおよび回転パイプの左右端部に一体に固定された回転シャフトからなり、回転シャフトが左右各側板にそれぞれ軸受を介して水平軸回りに回転自在に軸支された回転軸と、回転パイプの外周面に軸心方向および周方向にそれぞれ間隔をおいて固定された複数個の取付ブラケットおよび各取付ブラケットに回転自在に軸支された複数個の刃体からなる回転刃と、左右の側板にわたって支持された入力手段と、入力手段に入力された動力を回転シャフトに伝達する動力伝達手段と、を備えた農作業機において、前記回転パイプにおける外周面の左右各端部に、周方向に間隔をおいて複数個の調整穴または周方向に長穴が形成されたリング板がそれぞれ固定され、各リング板に、各側板の内面に当接する近傍位置まで突出するバランスウエイトが調整穴または長穴を通してボルトにより周方向に調整自在に固定されることを特徴とするものである。
【０００８】
本発明によれば、予め設計された回転軸の重量バランスに基づいてリング板にバランスウエイトを固定した状態で回転軸を回転させ、実際の回転軸の振動を把握した後、回転軸に振動が発生しない位置まで調整穴を変えて、または、長穴に沿ってバランスウエイトの取付位置を調整して取り付ければよい。
【０００９】
この結果、組み立てられた農作業機について、回転軸の振動を防止する位置までリング板への取付位置を周方向に調整してバランスウエイトを取り付ける簡単な作業によって、回転軸の振動を可及的に防止することができる。また、バランスウエイトは、回転パイプの外周側において、側板の内面に当接する近傍位置まで突出し、回転パイプの回転に追従して回転することから、回転パイプの左右各端縁部に刈り取った雑草などが巻き付くことを防止することができる。
【００１０】
なお、バランスウエイトの重量が不足する場合は、バランスウエイトとともに薄板状の調整スペーサを取り付ければよい。
【００１１】
本発明において、前記左右各側板の内面に、回転シャフトに装着されるとともに、周方向に間隔をおいて複数個の締結ナットが固定された円板部および円板部の外周縁から回転パイプの端縁部の外周面上まで延出されたフランジ部からなるダストカバーがそれぞれ配置され、回転シャフトに装着された各ダストカバーが、左右各側板の外面にそれぞれ配置される軸受とともにボルトおよび締結ナットを介して左右各側板に固定され、その際、ダストカバーのフランジ部が回転パイプの左右各端縁と左右各側板の内面との隙間を覆うと、回転パイプの左右各端縁と側板内面との隙間に刈り取った雑草や泥土が侵入することを防止することができるとともに、該隙間を通して側板に取り付けた軸受に泥土が侵入することを防止することができる。しかも、ダストカバーの円板部に設けた締結ナットを利用して、左右各側板にダストカバーおよび軸受をボルトを介して同時に固定することができる。
【００１２】
本発明において、前記ダストカバーの円板部に複数個の係合部が設けられるとともに、左右各側板に、ダストカバーの各係合部に対応する複数個の被係合部が設けられると、ダストカバーを左右各側板に対して係合部および被係合部を利用して正確に位置決めすることができる。このため、位置決めされたダストカバーを用いて軸受を正確に位置決めして固定することができる。
【００１３】
ここで、係合部としては凸部または穴を含む凹部であり、被係合部としては、係合部である凸部または凹部に係合可能な穴を含む凹部または凸部である。また、凸部または凹部の形状としては、断面円形の他、方形など円形以外の異形状であっても構わない。
【００１４】
本発明において、前記左右各側板に、回転シャフトの外径よりも広幅の切欠部がその下端縁から回転シャフトの挿入穴に向かって形成されていると、農作業機の組立に際して、回転シャフトを切欠部を通して挿入穴まで挿通することができ、回転軸を左右の側板に対して簡単に取り付けることができる。また、回転軸の保守点検作業や、回転パイプに巻き付いた雑草などを取り除く際、回転軸に対する動力伝達手段による動力伝達を解除した状態で、軸受を固定しているボルトを緩めて抜き取ることにより、回転軸を左右の側板から簡単に取り外すことができ、作業環境を改善して速やかに作業を行うことができる。
【発明の効果】
【００１５】
本発明によれば、回転軸の振動を防止するように取付位置を調整してバランスウエイトを簡単に取り付けることができる。
【発明を実施するための最良の形態】
【００１６】
以下、本発明の実施の形態を図面に基づいて説明する。
【００１７】
図１乃至図３には、本発明の農作業機１の一実施形態が示されている。
【００１８】
この農作業機１は、図示しないトラクタに着脱自在に連結され、トラクタの走行により牽引されて地表面上を移動し、雑草などの草刈り作業を行うフレールモアで例示されている。
【００１９】
この農作業機１は、フレーム２と、フレーム２に水平軸回りに回転自在に軸支された回転軸３と、回転軸３に軸心方向および周方向にそれぞれ間隔をおいて回転自在に軸支された複数個の回転刃４と、フレーム２に支持された入力手段５と、入力手段５に入力された動力を回転軸３に伝達する動力伝達手段６と、から主要部が構成されている。
【００２０】
フレーム２は、図４に詳細に示すように、左右（農作業機１の移動方向に向かって左、右をいう。）の側板２１と、左右の側板２１に一体に固定されたカバー２２と、からなり、左右の側板２１には、その下端部に回転軸３の回転シャフト３２を挿入可能な挿入穴２１ａが形成されるとともに、挿入穴２１ａに連続して切欠部２１ｂが下端縁にかけて形成されている。また、左右の側板２１の内面には、その前端縁下端部から下端縁の略中間部にかけて丸棒やパイプあるいは鉄板などを略Ｌ字状に折曲してなるガイド２３が設けられており、トラクタに牽引されて移動する際に、側板２１の先端縁下部が地面に入り込まないように規制している。さらに、左側板２１の上部には、入力手段５の出力軸５３を挿通するための挿通穴２１ｃが形成されるとともに、右側板２１の上部には、入力手段５のメインビーム５４を支持する切欠部２１ｄ（図３参照）が形成されている。
【００２１】
一方、カバー２２は、略コ字状の本体部２２１および該本体部２２１の移動方向前方となる一方の下端縁に連設されたＬ字状の屈曲部２２２からなり、開口部を下方に向けた状態で左右端縁が左右の側板２１の内面に溶接されている。そして、カバー２２の前後の各下端縁および左右の側板２１の各下端縁には、ゴム板２４がボルトナットを介して垂設されており、雑草あるいは小石などが外部に飛散することを防止している。また、カバー２２は、移動方向前方に屈曲部２２２を配置して、回転刃４の先端から前端部までの間隔を大きくし、雑草などの取り込み性を向上させる一方、後端部を後方下部に向かって傾斜させて回転刃４の先端から後端部までの間隔を漸増させ、雑草などの排出性を向上させている。また、回転刃４の先端からカバー２２の本体部２２１の後方隅角部までの間隔を大きくして、刈り取った雑草などが固まらないようにほぐすようにしている他、回転刃４の先端からカバー２２の屈曲部２２２と本体部２２１との連設部までの間隔を小さくし、雑草などの裁断性を向上させている。
【００２２】
なお、カバー２２の屈曲部２２２の水平部分の内面には、ゴム板や鉄板などの緩衝板２５が貼着されており、回転刃４がはね上げた小石などの異物を衝突させ、エネルギーを減衰させて下方にたたき落とすようにしている。
【００２３】
回転軸３は、図５に示すように、左右の側板２１の内面間隔よりも若干長さの短い回転パイプ３１と、回転パイプ３１の左右端部に円板３２１を介して一体に溶接された回転シャフト３２と、からなり、回転シャフト３２の先端部が左右の側板２１に形成された挿入穴２１ａを通して外方に突出されている。そして、回転軸３を構成する回転パイプ３１の左右各端縁部近傍の外周面には、周方向に設定間隔をおいて複数個の調整穴３３ａが形成されたリング板３３が溶接され、このリング板３３には、調整穴３３ａを通してバランスウエイト３４がボルト３５によって固定されている。この場合、バランスウエイト３４は、左右各側板２１の内面に向かって突出するように、リング板３３に設けられており、しかも、リング板３３に設けられた際、その先端面と左右各側板２１の内面との間にわずかな隙間を形成するように長さが設定されている。したがって、回転軸３が回転するとき、バランスウエイト３４が側板２１の内面と接触することはない。
【００２４】
ところで、回転軸３の回転シャフト３２を左右各側板２１に対してそれぞれ軸支するため、左右各側板２１の外面には、軸受３６が固定されている。具体的には、左右各側板２１には、挿入穴２１ａの周囲に位置して、軸受３６の連結穴に対応して設定間隔をおいて複数個の軸受連結穴（図示せず）が設けられるとともに、これらの軸受連結穴に対応して複数個の締結ナット３７３を設けたダストカバー３７が左右各側板２１の内面にそれぞれ配置されている。
【００２５】
すなわち、ダストカバー３７は、図６に示すように、円板部３７１および円板部３７１の外周縁から横方向に延出されたフランジ部３７２から形成され、円板部３７１に回転シャフト３２を挿通可能な挿通穴３７ａが形成されるとともに、側板２１の軸受連結穴に対応する連結穴３７ｂが形成される一方、該連結穴３７ｂに臨んでフランジ部３７２が延出された側の一面に複数個の締結ナット３７３が溶着されている。
【００２６】
また、左右各側板２１には、挿入穴２１ａの軸心から同一半径上に位置して被係合部としての複数個の位置決め穴２１ｘ（図７（ａ），（ｃ）参照）が形成される一方、ダストカバー３７の円板部３７１には、側板２１の位置決め穴２１ｘに対応して、係合部としての複数個の突出部３７ｘがプレス加工によってフランジ部３７２が延出された側と反対の他面側に突出するように形成されており、側板２１の位置決め穴２１ｘにダストカバー３７の突出部３７ｘを係合させた際に、軸受３６の連結穴、側板２１の軸受連結穴、ダストカバー３７の連結穴３７ｂおよび締結ナット３７３の各軸心が一線上に位置するように設定されている。
【００２７】
ここで、ダストカバー３７のフランジ部３７２は、その内径が回転軸３の回転パイプ３１の外径よりの若干大きく、かつ、その先端部が、回転軸３を左右の側板２１間に配設した際に、回転パイプ３１の端縁部に一部被さるように、その延出長さが設定されている。
【００２８】
したがって、フレーム２の左右の側板２１に回転軸３を回転自在に軸支するには、回転シャフト３２にダストカバー３７をそのフランジ部３７２が回転パイプ３１の端縁に対向するように挿通穴３７ａを通して装着した後、ダストカバー３７が側板２１の内面側に位置するように、左右の側板２１の切欠部２１ｂを通して回転軸３の回転シャフト３２を挿入し、挿入穴２１ａに達するまで差し込む。次いで、ダストカバー３７を回転させて、その突出部３７ｘを側板２１の位置決め穴２１ｘに係合させた後、回転シャフト３２に軸受３６を挿通し、その連結穴、側板２１の軸受連結穴およびダストカバー３７の連結穴３７ｂを通してボルト３８を差し込み、ダストカバー３７に設けた締結ナット３７３にねじ込めば、回転軸３の回転シャフト３２を軸受３６によって回転自在に軸支して左右の側板２１にわたって固定することができる。
【００２９】
この際、ダストカバー３７のフランジ部３７２は、回転パイプ３１の端縁部に一部被さって、左右各側板２１の内面と、回転パイプ３１の左右各端縁との隙間を回転パイプ３１の外周面側から覆うことができる。
【００３０】
回転刃４は、前述した回転軸３の回転パイプ３１の外周面に、その軸心方向および周方向にそれぞれ設定間隔をおいて溶接されたＵ字状の取付ブラケット４１と、く字状に折曲されて各取付ブラケット４１内に収容されるとともに、ボルト４３およびナット４４を介して回転自在に連結された一対の刃体４２と、からなり、一対の刃体４２は、先端がＹ字状を形成するように取り付けられている。
【００３１】
入力手段５は、ギヤボックス５１と、ギヤボックス５１から前方に向けて突出された入力軸５２と、ギヤボックス５１から左側方に向けて突出された出力軸５３と、ギヤボックス５１の左右側面にそれぞれ一体に溶接されて左右方向に延出されたメインビーム５４と、とからなり、出力軸５３は、左方のメインビーム５４内を挿通され、左側板２１に設けた軸受５５によって回転自在に軸支されている。
【００３２】
ここで、ギヤボックス５１には、詳細には図示しないが、軸受を介して回転自在に軸支されて互いに噛み合う一対の傘歯車が収容されており、各傘歯車に入力軸５２および出力軸５３がそれぞれ一体に連結されている。
【００３３】
また、入力手段５を構成する各メインビーム５４の先端部には、フランジ５６が一体に溶接されている。そして、左方のフランジ５６の外面と右方のフランジ５６の内面との間隔は、左側板２１の内面と右側板２１の外面との間隔に一致されている。したがって、出力軸５３の先端を左側板２１の上端部に形成された挿通穴２１ｃを通して外方に突出させるとともに、右方のメインビーム５４を右側板２１の切欠部２１ｄに配置することにより、左右のフランジ５６を左右各側板２１の内面および外面に接して配置することができ、左右のフランジ５６をボルトナットを介して左右の側板２１にそれぞれ連結することにより、入力手段５を簡単にフレーム２に固定することができる。しかも、左右のメインビーム５４を介して左右の側板２１が連結されるため、フレーム２の剛性を向上させることができる。
【００３４】
動力伝達手段６は、入力手段５の出力軸５３の先端部に一体に固定された駆動プーリー６１と、回転軸３の回転シャフト３２の先端部に一体に固定された従動プーリー６２と、これらの駆動プーリー６１および従動プーリー６２間に巻回されたＶベルト６３（図２参照）と、からなり、Ｖベルト６３は、テンションローラー６４を介して一定の張力が付与されている。
【００３５】
なお、動力伝達手段６を構成する駆動プーリー６１、従動プーリー６２、Ｖベルト６３およびテンションローラー６４は、保護カバー６５によって覆われている。
【００３６】
また、フレーム２には、刈り取り高さ調整装置７が設けられている。この刈り取り高さ調整装置７は、フレーム２のカバー２２に左右方向に間隔をおいてそれぞれ水平軸回りに揺動自在に軸支された揺動アーム７１と、各揺動アーム７１の先端に連結されたコラム７２と、コラム７２に回転自在に軸支された車輪７３と、左右の揺動アーム７１を連結する連結ビーム７４と、入力手段５のギヤボックス５１に設けたアッパーアーム７５と、これらの連結ビーム７４およびアッパーアーム７５間に設けられたねじを利用した伸縮手段７６と、から構成されている。したがって、伸縮手段７６を回転操作することにより、伸縮手段７６が伸長し、あるいは、縮小し、連結ビーム７４を介して揺動アーム７１が上下方向に揺動し、車輪７３の接地位置に対して側板２１に設けた回転軸３の高さ位置、すなわち、回転刃４の先端と地表面との間隔を調整することができる。具体的には、伸縮手段７６を伸長させれば、回転軸３を相対的に上方に移動させて回転刃４の先端と地表面との間隔を拡大することができ、逆に縮小させれば、回転軸３を相対的に下方に移動させて回転刃４の先端と地表面との間隔を縮小することができる。
【００３７】
次に、このように構成された農作業機１の作動について説明する。
【００３８】
なお、組み立てられた農作業機１においては、予め設計されたリング板３３の調整穴３３ａにボルト３５を介してバランスウエイト３４が取り付けられているが、最終的にバランスウエイト３４の取付位置は修正されるようになっている。具体的には、組み立てられた農作業機１は、最終検査において、回転軸３を回転させ、回転軸３の振動を把握した後、その振動を抑制する方向にバランスウエイト３４の取付位置を移動させ、調整された調整穴３３ａを通してバランスウエイト３４が取り付けられるようになっている。この際、詳細には図示しないが、バランスウエイト３４の重量が不足するときには、薄板状の１枚または複数枚の調整スペーサがバランスウエイト３４とリング板３３との間に配置されてボルト３５により共締めされる。
【００３９】
一方、草刈り作業を行うときには、まず、図示しないトラクタの三点リンク機構と農作業機１の三点連結部（トップリンクピン２６（図２参照）および一対のロアリンクピン２７（図３参照））とを連結し、さらに、トラクタのＰＴＯ軸と農作業機１の入力軸５２とを連結することにより、トラクタに農作業機１を装着する。この後、トラクタを前進走行させれば、農作業機１も牽引されて地表面上を移動する。同時に、トラクタのＰＴＯ軸を回転駆動させれば、農作業機１の入力軸５２が回転駆動し、トラクタの動力が農作業機１に伝達される。すなわち、入力手段５の入力軸５２が回転駆動すると、出力軸５３が回転駆動し、動力伝達手段６の駆動プーリー６１、Ｖベルト６３および従動プーリー６２を介して回転軸３の回転シャフト３２に動力を伝達して回転駆動させる。回転軸３の回転シャフト３２が回転駆動すれば、回転シャフト３２と一体の回転パイプ３１が回転駆動し、回転パイプ３１に取付ブラケット４１を介して軸支された一対の刃体４２も回転することにより、回転する刃体４２によって雑草などを刈り取ることができる。
【００４０】
この場合、回転軸３の回転数は、１分間当たり約１５００〜２０００回転に設定されるとともに、その回転方向は、図４において反時計回り方向に設定されており、所謂アップカットに設定されている。したがって、刈り取られた雑草などは、移動方向の前方に持ち上げられ、カバー２２の本体部２２１および屈曲部２２２の連設部との幅の狭い部分で刃体４２によって裁断された後、カバー２２の内面に沿って後方に移動し、間隔の広い後部隅角部でほぐされて落下する。
【００４１】
また、刃体４２が小石などの異物と衝突した際には、異物は、回転する刃体４２の円周と接線をなす方向にはね上げられて、カバー２２の前方側内面に設けられた緩衝板２５、あるいは、カバー２２の前後の各下端縁および左右の側板２１の各下端縁から垂設されたゴム板２４に衝突し、外部に飛散することが防止される。その際、取付ブラケット４１に対して刃体４２は回転自在に軸支されていることから、刃体４２が小石などの異物に衝突したとしても、その衝撃を取付ブラケット４１回りに回動して回避することができる。
【００４２】
一方、刈り取った雑草などがカバー２２の内面に沿って前方から後方に向かって移動する際、回転軸３の周囲、特に、回転パイプ３１の端縁部に巻き付こうとした場合には、回転パイプ３１の外周面よりも上方に離れた位置において、バランスウエイト３４が側板２１の内面との間隔を可及的に小さくしてリング板３３に固定されていることにより、側板２１と回転パイプ３１の端縁部に固定されたリング板３３との隙間は、回転軸３の回転に連動してバランスウエイト３４が回転して塞いでおり、刈り取った雑草などが、回転パイプ３１の端縁部に巻き付き、さらには、側板２１と回転パイプ３１の端縁との隙間に入り込むことを防止することができる。
【００４３】
また、雑草などの刈り取りに伴って泥土をはね上げた際において、泥土が側板２１と回転パイプ３１の端縁との隙間を通して侵入し、さらには、軸受３６に入り込もうとした場合には、回転パイプ３１の外周面よりも上方に離れた位置において、ダストカバー３７のフランジ部３７２が側板２１と回転パイプ３１の端縁との隙間を全周にわたって覆っていることにより、泥土が入り込むことを防止することができる。
【００４４】
このようにして雑草などの刈り取り作業を一定時間行うことにより、回転軸３の外周面に刈り取った雑草などが巻き付いて刈り取り性能が低下した際には、巻き付いた雑草などを除去する必要がある。具体的には、保護カバー６５を取り外してテンションローラー６４による付勢を解除してＶベルト６３を取り外すとともに、回転シャフト３２から従動プーリー６２を取り外した後、軸受３６を固定するボルト３８を緩めて抜き取るとともに、軸受３６を回転シャフト３２から抜き取る。次いで、ダストカバー３７を側板２１の位置決め穴２１ｘから押し出してその内面から離脱させることにより、回転軸３を側板２１の切欠部２１ｂを通して下方に落とし込み、外方に取り出すことができる。回転軸３を取り出せば、その回転パイプ３１の外周面に巻き付いた雑草などを容易に除去することができる。
【００４５】
回転軸３に巻き付いた雑草などを除去すれば、前述とは逆に操作して回転軸３を側板２１に取り付ければよい。具体的には、回転シャフト３２に装着されているダストカバー３７が側板２１の内面側に位置するように、側板２１の切欠部２１ｂを通して回転軸３の回転シャフト３２を差し込み、そのまま上方に持ち上げた後、ダストカバー３７を回転させて、その突出部３７ｘを側板２１の位置決め穴２１ｘに係合させる。この状態で、回転シャフト３２に軸受３６を装着し、その連結穴、側板２１の軸受連結穴、ダストカバー３７の連結穴３７ｂを通してボルト３８を差し込み、締結ナット３７３にねじ込めば、回転軸３を側板２１に固定することができる。次いで、回転シャフト３２に従動プーリー６２を固定するとともに、駆動プーリー６１と従動プーリー６２間にＶベルト６３を巻回した後、テンションローラー６４の付勢力をＶベルト６３に作用させて緊張させ、保護カバー６５を取り付けることによって再び草刈り作業を行うことができる。
【００４６】
なお、前述した実施形態においては、リング板３３に周方向に間隔おいて複数個の調整穴３３ａを形成し、この調整穴３３ａを利用してバランスウエイト３４を取り付ける場合を説明したが、図８に示すように、リング板３３に周方向に長穴３３ｂを形成し、この長穴３３ｂを利用してバランスウエイト３４を取り付けるようにしてもよい。このような長穴３３ｂを設ける場合、バランスウエイト３４の取付位置を無段階で調整することができる。
【００４７】
また、農作業機１として、雑草などの刈り取りを行うフレールモアを例示したが、回転刃を変更することにより、ロータリーやハローなどにも適用することができるとともに、その回転刃の重量バランスの調整に援用することができる。
【図面の簡単な説明】
【００４８】
【図１】本発明の農作業機の一実施形態を示す背面図である。
【図２】図１の農作業機の左側面図である。
【図３】図１の農作業機の平面図である。
【図４】図１のＡ−Ａ線に沿って一部省略して示す断面図である。
【図５】リング板およびバランスウエイトの関係を示す正面図、正面図のＢ−Ｂ線に沿って示す断面図である。
【図６】ダストカバーの正面図、正面図のＣ−Ｃ線に沿って示す端面図である。
【図７】リング板およびバランスウエイトとともに、側板に設けられた軸受およびダストカバーの関係を示す側面図、一部省略して示すその断面図、側面図のＤ−Ｄ線に沿って一部省略して示す断面図である。
【図８】リング板の変形例をバランスウエイトとともに示す正面図である。
【符号の説明】
【００４９】
１  農作業機
２  フレーム
２１  側板
２２  カバー
３  回転軸
３１  回転パイプ
３２  回転シャフト
３３  リング板
３４  バランスウエイト
４  回転刃
４１  取付ブラケット
４２  刃体
５  入力手段
５１  入力軸
５２  出力軸
５３  メインビーム
６  動力伝達手段
６１，６２  プーリー
６３  Ｖベルト
【図１】
2007282573.tif 000003
【図２】
2007282573.tif 000004
【図３】
2007282573.tif 000005
【図４】
2007282573.tif 000006
【図５】
2007282573.tif 000007
【図６】
2007282573.tif 000008
【図７】
2007282573.tif 000009
【図８】
2007282573.tif 000010